(57)【要約】【課題】本発明は、メモリーカードの結合構造に関し、フレームとコネクタとの結合構造を強固にし、組ズレを防止して前後方向の結合を剛性にすることが課題である。        【解決手段】プリント基板及びコネクタを実装して中央部に配置されるフレームと、該フレームに上下方向から挟装して被覆する上カバー及び下カバーとで構成されて互いに係合するようにされたメモリーカードの結合構造において、前記コネクタ３とフレーム４とは互いの前後方向の端部で凹凸部の嵌合により組ズレ防止されて連結され、当該連結された端部における左右方向の端部に設けられた溝部で当該コネクタとフレームとを前後方向に跨いで前記上カバー５と下カバー６との側壁部が配設され、且つ、該側壁部の係合部が上下方向に抜去不能に係合されるメモリーカード１の結合構造である。【選択図】図１
2006155177.tif 000002
【特許請求の範囲】
【請求項１】
プリント基板及びコネクタを実装して中央部に配置されるフレームと、該フレームに上下方向から挟装して被覆する上カバー及び下カバーとで構成されて互いに係合するようにされたメモリーカードの結合構造において、
前記コネクタとフレームとは互いの、前後方向の端部で若しくは前後方向と左右方向との端部で、凹凸部の嵌合により組ズレ防止されて連結され、
当該連結された端部における左右方向の端部に設けられた溝部で当該コネクタとフレームとを前後方向に跨いで前記上カバーと下カバーとの側壁部が配設され、
且つ、該側壁部の係合部が上下方向に抜去不能に係合されること、
を特徴とするメモリーカードの結合構造。
【請求項２】
側壁部の係合部には押圧手段が設けられ、該押圧手段によって、連結された端部を前後方向に押圧し挟着すること、
を特徴とする請求項１に記載のメモリーカードの結合構造。
【請求項３】
上カバーと下カバーとの左右側部に設けられるアース用爪部は、それぞれのカバー端部から略コ字型形状に屈曲され、その両方の爪端部のうち、一方側には孔部が設けられ、他側には前記孔部に挿通されて係合する脚部が設けられ、前記孔部を有する爪端部と前記脚部を有する爪端部とで上下方向の押圧力と左右方向の押圧力とに抵抗するように形成されていること、
を特徴とする請求項１乃至２に記載のメモリーカードの結合構造。
【発明の詳細な説明】
【技術分野】
【０００１】
本発明は、例えば、携帯型ノートパソコンやＰＤＡ（personal digital assistance）等の機能拡張に使用されるエクスプレスカード等のメモリーカードを構成するフレームとカバーとの結合構造に関するものである。
【背景技術】
【０００２】
従来、メモリーカード１９は、図１３に示すように、中央部に合成樹脂製の筐体となるフレーム２０があり、そこには電子部品を実装したプリント基板２１と接続用のコネクタ２２とを備え、それを金属製のメタルカバー（上・下）２３，２４でカバーしている。
前記上カバー２３と下カバー２４とにおけるフレーム２０に対する組立の係合は、例えば、同図（Ｄ）に示すように、当該カバーの両端部を爪形状に加工し、フレーム２０の側部壁面に溝を設けて嵌合させ、更に、接着材を用いて熱圧着するものが知られている（特許文献１乃至文献３参照）。
【特許文献１】特開平１１−２９６６３７号公報
【特許文献２】特開平１１−７３４８５号公報
【特許文献３】特開２００２−２６９５１４号公報
【発明の開示】
【発明が解決しようとする課題】
【０００３】
しかし、従来のメモリーカードの結合構造では、熱圧着に時間が掛かり設備投資にもコストが嵩むものであり、メタルカバー同士の結合にも単に係合するだけでなく、上下方向の圧力に対する補強が必要である。本発明に係るメモリーカードの結合構造は、このような課題を解決するために提案されたものである。
【課題を解決するための手段】
【０００４】
本発明に係るメモリーカードの結合構造の上記課題を解決して目的を達成するための要旨は、プリント基板及びコネクタを実装して中央部に配置されるフレームと、該フレームに上下方向から挟装して被覆する上カバー及び下カバーとで構成されて互いに係合するようにされたメモリーカードの結合構造において、前記コネクタとフレームとは互いの、前後方向の端部で若しくは前後方向と左右方向との端部で、凹凸部の嵌合により組ズレ防止されて連結され、当該連結された端部における左右方向の端部に設けられた溝部で当該コネクタとフレームとを前後方向に跨いで前記上カバーと下カバーとの側壁部が配設され、且つ、該側壁部の係合部が上下方向に抜去不能に係合されることである。
【０００５】
また、前記側壁部の係合部には押圧手段が設けられ、該押圧手段によって、連結された端部を前後方向に押圧し挟着すること、；
更に、前記上カバーと下カバーとの左右側部に設けられるアース用爪部は、それぞれのカバー端部から略コ字型形状に屈曲され、その両方の爪端部のうち、一方側には孔部が設けられ、他側には前記孔部に挿通されて係合する脚部が設けられ、前記孔部を有する爪端部と前記脚部を有する爪端部とで上下方向の押圧力と左右方向の押圧力とに抵抗するように形成されていること、；
を含むものである。
【発明の効果】
【０００６】
本発明のメモリーカードの結合構造によれば、フレームとコネクタとの連結において、前後方向での組ズレがなく、カバーの側壁部が当該連結部を前後方向において跨設して配設されて、強度的に補強され、更に、カバーの側壁部の係合部で前後方向に押圧して挟着しているので、組立の剛性が増すことになる。
また、上カバーと下カバーとの左右側部に設けられるアース用爪部により、上下方向の押圧力と左右方向の押圧力とに抵抗するように形成されているので、外部からの変形力に強く抵抗して、アース用切欠き部における変形が防止される。
【発明を実施するための最良の形態】
【０００７】
本発明に係るメモリーカード１の結合構造は、図１に示すように、プリント基板２及びエクスプレスカード用のコネクタ３を実装して中央部に配置される合成樹脂製のフレーム４と、該フレーム４に上下方向から挟装して被覆する金属製の上カバー５及び下カバー６とで構成されて互いに係合するようにされている。
【０００８】
そして、前記コネクタ３とフレーム４との連結構造は、例えば、コネクタ３では、図２に示すように、合成樹脂製の本体３ａがあり、その前方側には、接続用の開口部３ｂがあり、それに連通する内部空間にはコンタクトピン３ｃの一部が平行に列設されている。
【０００９】
前記本体３ａの前後方向の端部には、上方に開口している凹部３ｄが左右方向に沿って設けられている。この凹部３ｄが連結用の嵌合部となる。また、左右方向の側部には、上下方向に貫通させた係合用の孔３ｅが設けられている。そして、この孔３ｅに連通するように、上下方向に貫通しないで、カバー５，６の側壁部が挿入される溝部３ｆが設けられている。
【００１０】
そして、前記フレーム４は、図３に示すように、中央部にプリント基板装着用に大きな空洞が設けられた矩形状の枠体であって、前方の端部には、前記凹部３ｄに嵌合する連結用の凸部４ａが設けられている。また、側方の切欠き部４ｂ，４ｃは、プリント基板２の電気的なグラウンドと外部の上カバー５，下カバー６とを導通させて電磁的にシールドさせるための導通路となる部分である。
【００１１】
また、フレーム４の左右の側壁部には、前後方向に沿って適宜間隔毎に係合用孔４ｄが上下に貫通して設けられている。また、貫通していない溝部４ｅが設けられている。この係合用孔４ｄに、上・下カバー５，６の係合爪部（後述）が挿入され係合するものである。前記溝部４ｅには、カバー５，６における、後述の側壁部５ｃ，６ｃが挿入される。
【００１２】
前記コネクタ３の凹部３ｄと、フレーム４の凸部４ａとの嵌合は、図４に示すように、行われる。前後方向の組ズレがない。
【００１３】
前記上カバー５は、図１に示すように、前記フレーム４の外枠に合わせた形状であり、左右側壁部５ｃには、図４に示すように、組立係合用で斜めに屈曲された係合爪５ｅが設けられた係合爪部５ａが、前後方向に適宜間隔で複数個設けられている。この係合爪部５ａの前後方向の端部に、前後方向への押圧手段である三角形状の突起（ヤゲン）５ｆが設けられている。
【００１４】
また、この左右側壁部の前記シールド用の導通路となる部分に相当する位置には、アース用爪部５ｂが設けられている。このアース用爪部５ｂの形状詳細は、図５に示す。
【００１５】
前記アース用爪部５ｂは、上下方向の側壁部５ｃから略コ字型に屈曲され、更に、下方向に延設されて、係止爪５ｄが脚部５ｇに形成されている。
【００１６】
下カバー６は、図１に示すように、前記フレーム４の外枠に合わせた形状であり、左右側壁部６ｃには、図４に示すように、組立係合用で矩形状の孔６ｆが設けられた係合爪部６ａが、前後方向に適宜間隔で複数個設けられている。その係合爪部６ａの前後方向の端部に、前後方向への押圧手段である三角形状の突起（ヤゲン）６ｇが設けられている。
【００１７】
また、この左右側壁部の前記シールド用の導通路となる部分に相当する位置には、アース用爪部６ｂが設けられている。このアース用爪部６ｂの形状詳細は、図６に示す。
【００１８】
前記アース用爪部６ｂは、図６に示すように、上下方向の側壁部６ｃから略コ字型に屈曲され、その上面６ｄには、図６（Ｂ），（Ｃ）に示すように、孔６ｅが設けられている。この孔６ｅには、前記係止爪５ｄが差し込まれるものである。
【００１９】
以上のようにして形成して成る、メモリーカード１における結合構造は、図７（Ａ）に示す状態から図８（Ａ）に示す状態に組み立てると、まず、コネクタ３とフレーム４との連結構造について、図４及び図７（Ｂ）に示すように、凹部３ｄと凸部４ａとが嵌合され、図９に示すように、係合爪部５ａ、６ａがコネクタ３における孔３ｅと係合用孔４ｄとに挿入されて、係合爪５ｅが係合爪部６ａに係合する。
【００２０】
また、溝部３ｆにカバー５，６の側壁部５ｃ，６ｃが挿入され、コネクタ３とフレーム４とに跨り、前記係合爪部５ａ，６ａによって前後方向で挟まれ、更に、係合爪部５ａ，６ａの突起（ヤゲン）５ｆ，６ｇによって押されて、前後方向にきつく組み付けられ、組ズレがない。
【００２１】
また、上カバー５と下カバー６とのアース用爪部５ｂ，６ｂとの嵌合は、図１１に示すように、例えば、切欠き部４ｂにおいて、まず、下カバー６の爪部６ｂが、下から上へとフレーム４の側壁に沿って移動して上面６ｄの端部が段部４ｆに係合する。
【００２２】
これで、コ字型の爪部６ｂにおける前記上面６ｄが支持部となって、図１２に示すように、左右方向の外力に対して抵抗し、フレーム４の側壁部を反力壁にして、この爪部６ｂが安定して支持される。そして、上から、上カバー５の爪部５ｂにおける係止爪５ｄが前記爪部６ｂの上面６ｄにおける孔６ｅに差し込まれる。
【００２３】
すると、図１２に示すように、係止爪５ｄが係止されて上下方向へ抜けないように係合する。また、前記係止爪５ｄを有する脚部５ｇが、前記爪部６ｂの内壁面に当接して支持され、上下方向の外力に抵抗する。よって、図１２中の矢印で示すように、前記コ字型の爪部５ｂ，６ｂが組み付けられると、上下方向の外力や左右方向の外力に十分に抵抗するようになる。
【００２４】
このように、メモリーカード１は、コネクタ３とフレーム４とが組ズレ無くきつく嵌合され、アース用爪部５ｂ，６ｂの嵌合により、シールド用の導通路の剛性が高められる。また、係合爪部５ａ，６ａにより、上下方向の抜けが防止されて、組ズレが防止される。
【図面の簡単な説明】
【００２５】
【図１】本発明に係るメモリーカード１の結合構造を示す組立分解斜視図である。
【図２】同本発明のメモリーカード１におけるコネクタ３の、平面図（Ａ），正面図（Ｂ），背面図（Ｃ），底面図（Ｄ），側面図（Ｅ），Ｘ−Ｘ線に沿った断面図（Ｆ）である。
【図３】同本発明のメモリーカード１におけるフレーム４の、正面図（Ａ），側面図（Ｂ），背面図（Ｃ），平面図（Ｅ），底面図（Ｅ）である。
【図４】同本発明のメモリーカード１における、コネクタ３とフレーム４との嵌合部の結合構造を示す説明図である。
【図５】同本発明のメモリーカード１における、上カバー５の一部側面図（Ａ），底面図（Ｂ），Ｙ−Ｙ線に沿った断面図である。
【図６】同本発明のメモリーカード１における、下カバー６の一部側面図（Ａ），底面図（Ｂ），Ｚ−Ｚ線に沿った断面図である。
【図７】本発明に係るメモリーカード１の組立状態を示す説明図（Ａ）と、その一部拡大詳細図（Ｂ）とである。
【図８】同本発明に係るメモリーカード１の側部の一部を削除して示す結合状態の斜視図（Ａ）と、その一部（破線で囲った円部）拡大詳細図（Ｂ）とである。
【図９】同本発明に係るメモリーカード１における、上カバー５と下カバー６との結合構造のうちの一箇所の結合構造を示す説明図である。
【図１０】同本発明に係るメモリーカード１における、上カバー５と下カバー６との結合構造のうちの一箇所の結合構造の断面を示す縦断面図である。
【図１１】同本発明に係るメモリーカード１における、アース用爪部の結合状態を示す正面図である。
【図１２】同アース用爪部の結合状態を示す縦断面図である。
【図１３】従来例に係るメモリーカード１９の平面図（Ａ）と、正面図（Ｂ）と、側面図（Ｃ）と、側面図（Ｃ）における矢印部分の結合状態を示す縦断面図（Ｄ）とである。
【符号の説明】
【００２６】
１          メモリーカード、
２          プリント基板、
３          コネクタ、              ３ａ      本体、
３ｂ        開口部、                ３ｃ      コンタクトピン、
３ｄ        凹部、                  ３ｅ      孔、
３ｆ        溝部、          
４          フレーム、              ４ａ      凸部、
４ｂ，４ｃ  切欠き部、
４ｄ        係合用孔、              ４ｅ      溝部、
５          上カバー、              ５ａ      係合爪部、
５ｂ        アース用爪部、          ５ｃ      側壁部  、  
５ｄ        係止爪、                ５ｅ      係合爪、  
５ｆ        突起、                  ５ｇ      脚部、
６          下カバー、              ６ａ      係合爪部、
６ｂ        アース用爪部、          ６ｃ      側壁部、
６ｄ        上面、                  ６ｅ      孔、
６ｆ        孔、                    ６ｇ      突起。
【図１】
2006155177.tif 000003
【図２】
2006155177.tif 000004
【図３】
2006155177.tif 000005
【図４】
2006155177.tif 000006
【図５】
2006155177.tif 000007
【図６】
2006155177.tif 000008
【図７】
2006155177.tif 000009
【図８】
2006155177.tif 000010
【図９】
2006155177.tif 000011
【図１０】
2006155177.tif 000012
【図１１】
2006155177.tif 000013
【図１２】
2006155177.tif 000014
【図１３】
2006155177.tif 000015